(57)【特許請求の範囲】
【請求項１】
バスバーや端子等をねじ締め接続させるねじ部材をねじ締めブロック本体の上部に設けて成るねじ締めブロックと、該ねじ締めブロックを下から上向きに挿入して収容する収容部を有する電気接続ブロック本体とを備え、該収容部の両側壁に係止部が設けられ、該ねじ締めブロック本体の下面が、該係止部に係合する被係止部となっており、
前記係止部が、前記両側壁から斜め上向きに突設された係止アームであり、該係止アームの先端部に、前記ねじ締めブロック本体の下面を支持する係止面と、該ねじ締めブロック本体の側面を支持する突出片とが設けられており、
前記係止アームの幅方向両側において前記両側壁に、前記ねじ締めブロック本体の側面を沿わせる内向きの突出壁が形成され、該係止アームの先端部が該突出壁よりも内向きに突出したことを特徴とするねじ締めブロックの係止構造。
【発明の詳細な説明】
【技術分野】
【０００１】
本発明は、例えば電気接続箱のバスバーに外部端子をねじ締め接続するためのねじ締めブロックを電気接続箱本体に係止させるねじ締めブロックの係止構造に関するものである。
【背景技術】
【０００２】
従来、電気接続箱内の導電金属製のバスバーと外部の電線付き端子とをねじ締めブロックを介して接続するために、種々のねじ締めブロック構造が提案されている。
【０００３】
例えば、特許文献１（図示せず）には、スタッドボルトを合成樹脂製の略箱状のボルトカバーに組み付けてねじ締めブロックを構成し、ボルトカバーは垂直な側壁の外面に係合突起を有し、ヒューズボックス（電気接続箱）のケース本体のセット孔（空間）にねじ締めブロックを下から上向きに挿入して、スタッドボルトをセット孔の上方の導電金属製のバスバーの孔部に貫通させると共に、セット孔の内壁面の係止突起にボルトカバーの係合突起を乗り越えて係合させ、バスバーの上からスタッドボルトに電線付きの電源入力端子の孔部を挿通させて、バスバーと電源入力端子とをスタッドボルトにナット締めして相互接続させることが記載されている。
【０００４】
また、特許文献２（図示せず）には、スタッドボルトと樹脂製のブロック状の支持部材とでねじ締めブロックを構成し、支持部材は一側面に被係止突起とスライダを有し、リレーボックス（電気接続箱）のボックス本体の側面壁のスライドガイドに下方からスライダを係合させつつ、側面壁のアーム状の弾性係止片に被係止突起を係合させ、スタッドボルトをバスバーの孔に上向きに貫通して、電源ケーブル付きの端子の孔をバスバーに挿通させ、バスバーと端子とをスタッドボルトにナット締めして相互接続させ、バスバーの各端子をボックス本体上のヒュージブルリンクやヒューズの端子に接続させることが記載されている。
【０００５】
また、特許文献３（図示せず）には、ナットを樹脂製のナットホルダに組み付けてねじ締めブロックを構成し、ナットホルダは一側面にガイド突出壁と可撓性のアーム状の係止片を有し、ねじ締めブロックを電気接続箱の絶縁ブロック内に下から上向きに挿入しつつ、係止片を絶縁ブロックの内面の係止突起に乗り越して係合させ、ナットの上に配置された二枚のバスバーと電線付きの外部端子との各孔に上からボルトを挿通してナットで両バスバーと外部端子とを締め付けて相互接続させ、各バスバーの端子を絶縁ブロック上のヒュージブルリンクやヒューズの端子に接続させることが記載されている。
【０００６】
図７は、従来のねじ締めブロックの係止構造の一形態を示すものである。
【０００７】
このねじ締めブロックの係止構造は、ボルト６１と合成樹脂製の矩形状のねじ締めブロック本体６２とで成るねじ締めブロック（ボルトブロック）６３におけるねじ締めブロック本体６２の両側壁６４に一対の係止突起（被係止部）６５を設け、電気接続ブロック本体のねじ締めブロック収容部６６の内壁に可撓性の係止アーム（係止部）６７を下向きに設け、収容部６６の上端側には導電金属製のバスバー６８を配置し、収容部６６に下から上向きにねじ締めブロック６３を挿入し、ボルト６１のねじ部をバスバー６８の孔に貫通させると共に、係止突起６５を係止アーム６７の突起６７ａに乗り越えて係合させるものである。
【０００８】
係止突起６５は、ねじ締めブロック本体６２の側壁に設けた縦溝６９内に配置されている。収容部６６に下から上向きにねじ締めブロック６３を挿入するのは、上側のバスバー６８に邪魔されてねじ締めブロック６３を上から下向きに挿入することができないためである。電気接続ブロック本体は電線接続箱本体と呼称してもよい。
【先行技術文献】
【特許文献】
【０００９】
【特許文献１】特開２０１１−９７７０７号公報
【特許文献２】特開平６−２７６６４８号公報
【特許文献３】特開２００９−８９５３０号公報
【発明の概要】
【発明が解決しようとする課題】
【００１０】
しかしながら、上記従来のねじ締めブロックの係止構造にあっては（上記各特許文献記載のねじ締めブロック構造においても同様であるが）、ねじ締めブロック６３の係止突起（被係止部）６５の位置に合わせて、電気接続ブロック本体の収容部６６に係止アーム（係止部）６７を配設したり、電気接続ブロック本体の係止アーム６７の位置に合わせてねじ締めブロック６３に係止突起６５を配設しなければならず、ロック（係止）位置が相互に規制されるために、例えば、ねじ締めブロック６３を他種の電気接続ブロック本体に流用したい場合に、ねじ締めブロック６３の係止突起６５の位置に合わせて他種の電気接続ブロック本体に係止アーム６７を配設しなければならず、コスト高になると共に、電気接続ブロック本体内のスペースが圧迫されたり、スペース的に係止アーム６７を設けることができなかったりするという懸念があった。
【００１１】
また、ねじ締めブロック６３の側壁６４に係止突起６５を突設する関係で、ねじ締めブロック６３が横幅方向に肥大化し、電気接続ブロック本体の収容部６６も肥大化するという懸念や、それを解消するべく、ねじ締めブロック６３の側壁に縦溝６９を設けて、縦溝６９内に係止突起６５を設けることで、ねじ締めブロック６３のコストが増加するという懸念があった。
【００１２】
本発明は、上記した点に鑑み、ねじ締めブロックに対する電気接続ブロックの係止部の配置の自由度を高めて、ねじ締めブロックの流用性を高めると共に、ねじ締めブロックの小型化・低コスト化を図ることのできるねじ締めブロックの係止構造を提供することを目的とする。
【課題を解決するための手段】
【００１３】
上記目的を達成するために、本発明の請求項１に係るねじ締めブロックの係止構造は、バスバーや端子等をねじ締め接続させるねじ部材をねじ締めブロック本体の上部に設けて成るねじ締めブロックと、該ねじ締めブロックを下から上向きに挿入して収容する収容部を有する電気接続ブロック本体とを備え、該収容部の両側壁に係止部が設けられ、該ねじ締めブロック本体の下面が、該係止部に係合する被係止部となっており、前記係止部が、前記両側壁から斜め上向きに突設された係止アームであり、該係止アームの先端部に、前記ねじ締めブロック本体の下面を支持する係止面と、該ねじ締めブロック本体の側面を支持する突出片とが設けられており、前記係止アームの幅方向両側において前記両側壁に、前記ねじ締めブロック本体の側面を沿わせる内向きの突出壁が形成され、該係止アームの先端部が該突出壁よりも内向きに突出したことを特徴とする。
【００１４】
上記構成により、ねじ締めブロック本体の下面がねじ締めブロック本体周方向のどの位置においても収容室の一対の係止部に対する被係止面として作用する。従って、一対の係止部が収容室の周方向のどの位置にあっても、ねじ締めブロック本体を係止可能であり、ねじ締めブロックに対する収容部内の係止部の配置の自由度が高められる。ねじ締めブロックのねじ部材はボルト又はナットである。
【００１６】
また、ねじ締めブロック本体の下面が係止アームの先端部の係止面で支持（係止）され、ねじ締めブロック本体の側面が係止アームの先端部の突出片の内面で支持（係止）され、ねじ締めブロックが下方向と横方向との二方向にぐらつきや位置ずれ等なく安定に支持（係止）される。
【００１８】
また、ねじ締めブロック本体の両側面が収容部内の両側壁の各一対の突出壁で支持され、一対の突出壁の間に係止アームが位置し、係止アームの先端部（少なくとも係止面）が突出壁よりも内向きに突出してねじ締めブロック本体の下端部を支持する。一対の突出壁の間（空間）は係止アーム配置スペース及び係止アーム撓み空間として作用し、一対の突出壁は、ねじ締めブロックのねじ部材へのバスバーや端子等のねじ締め時等に、係止アームの横幅方向の倒れ変形を阻止して、ねじ締めブロックの係止を確実に行わせる。
【発明の効果】
【００１９】
請求項１記載の発明によれば、電気接続ブロック本体の係止部にねじ締めブロック本体の下面を係止させることで、係止部の位置を電気接続ブロック本体の収容部の周方向のどの位置に設定してもよくなり、これにより、ねじ締めブロックを他の電気接続ブロック本体の収容部に流用することができ、しかも、ねじ締めブロック本体に被係止突起を設ける必要がないので、ねじ締めブロックを小型化・低コスト化することができる。
【００２０】
また、係止アームの先端部の係止面で電気接続ブロック本体の下面を支持（係止）し、係止アームの先端部の突出片で電気接続ブロック本体の側面を支持（係止）して、電気接続ブロックを係止アームで下方向と横方向との二方向にガタつき等なく安定に支持することができる。
【００２１】
また、ねじ締め時等における係止アームの横方向へ倒れを突出壁で防いで、係止アームによるねじ締めブロックの係止を確実に行わせることができる。
【図面の簡単な説明】
【００２２】
【図１】本発明のねじ締めブロックの係止構造におけるねじ締めブロックの一実施形態を示す、（ａ）は上方視斜視図、（ｂ）は下方視斜視図、（ｃ）は下面図である。
【図２】（ａ）（ｂ）は、電気接続ブロック本体のねじ締めブロック収容部と係止アームの異なる配置例を示す平面図である。
【図３】ねじ締めブロック収容部内にねじ締めブロックを係止させた状態を示す平面図である。
【図４】図３のＡ−Ａ断面図である。
【図５】ねじ締めブロックを組み付けた電気接続ブロックの一実施形態を示す斜視図である。
【図６】電気接続ブロックの要部を破断して示す斜視図である。
【図７】従来のねじ締めブロックの係止構造の一形態を示す縦断面図である。
【発明を実施するための形態】
【００２３】
図１〜図６は、本発明に係るねじ締めブロックの係止構造の一実施形態を示すものであり、図１（ａ）〜（ｃ）は、ねじ締めブロックの一実施形態を示すものである。
【００２４】
図１（ａ）〜（ｃ）の如く、ねじ締めブロック１は、合成（絶縁）樹脂製の矩形状のねじ締めブロック本体２と、ねじ締めブロック本体２の上半側の水平な溝部４に組み付け固定された金属製のボルト（ねじ部材）３とで構成され、ねじ締めブロック本体２の下面５（図１（ｂ）（ｃ））の全体が、後述の電気接続ブロック本体側の係止部に対する被係止部であることを特徴としており、ねじ締めブロック本体２に従来の係止突起（図７）は設けられていない。
【００２５】
ボルト３は、従来（図７）と同様に、下側の取付ベース６（図４）と、取付ベース６に立設されたねじ軸７とで成り、取付ベース６は、幅広な矩形鍔状の下半部６ｂと小径な円形の上半部６ａとで成り、ねじ軸７は雄ねじ部（符号７で代用）と先端（上端）側のパイロット部とで成る。取付ベース６がねじ締めブロック本体２の上下二段式の溝部４（図４）に水平に挿入されて、溝部４の入口側の縦方向のリブ８（図６）で抜け止めされている。取付ベース６の上半部６ａの上面はねじ締めブロック本体２の上面９とほぼ同一平面上に位置している。
【００２６】
ねじ締めブロック本体２は、水平な上壁９と前後左右の垂直な壁部（側壁）１０〜１３と水平な下壁５とを備え（説明の便宜上、溝部４の入口側を左とする）、右側の壁部１３の前後端において後述の電気接続ブロック本体（図２）のねじ締めブロック収容部に対するガイド用のリブ１４が前後方向に突設され、前後左右の壁部１０〜１３の外面（側面）に、ねじ締めブロック収容部（図２）の内面に接触するないしは圧入される各一対の横断面三角形状の縦方向のガタ防止用の小リブ１５が突設されている。
【００２７】
前後左右の壁部１０〜１３の内側には、十字に交差した補強用の壁部１６が一体に設けられ、前後左右の壁部１０〜１３の下端面５と補強用の壁部の下端面（符号１６で代用）とで下壁面が構成され、前記被係止部としての下面５は、前後左右の壁部１０〜１３の下端面であって、矩形枠状に構成されている。
【００２８】
図２（ａ）（ｂ）は、電気接続ブロック本体のねじ締めブロック収容部の各形態例を示すものである。
【００２９】
図２（ａ）の例の如く、ねじ締めブロック収容部（収容部）１７は、合成樹脂製の前後左右の垂直な壁部（側壁）１８〜２１と、各壁部１８〜２１で囲まれた収容室２２と、左右の壁部２０，２１から内向きに且つ斜め上向きに突設された可撓性（弾性）の左右一対の係止アーム（係止部）２３，２４とを備えている。係止アーム２３，２４は係止ランスと呼称可能である。
【００３０】
左側の係止アーム２３の前後両側に隣接して左側の壁部２０の内面に縦（上下）方向の一対の突出壁２５が一体に形成されている。右側の係止アーム２４は右側の壁部２１からスリット２６で分離され、右側の壁部２１の外面側（奥側）に続く壁部２７（図４，図５）の内面から右側の係止アーム２４が内向きに突設されている。各係止アーム２３，２４は左右の壁部２０，２１の前後方向略中央に配置されている。図２で符号２８は後側の壁部１９の上側に一体に続くハウジング（図５）の一部である。
【００３１】
図２（ａ）においては、左右の壁部（側壁）２０，２１に係止アーム２３，２４を設けたが、図２（ｂ）の例の如く、ねじ締めブロック収容部１７’の前後の壁部（側壁）１８，１９に係止アーム２３，２４を設けることも可能である。図２（ｂ）の係止アーム２３，２４は図２（ａ）の係止アーム２３，２４を９０°反転させた位置に形成され、前後の壁部１８，１９の左右方向略中央に配置されている。後側の係止アーム２３は後述のバスバー（図６）の垂直板部と干渉しないような位置に配置される。例えばバスバーの垂直板部を切欠して切欠部内に後側の係止アーム２３を配置してもよい。
【００３２】
図１のねじ締めブロック１の被係止部が従来のような突起ではなく、ねじ締めブロック本体２の下面５全体であるので、係止アーム２３，２４の位置が前後にあっても左右にあっても無関係にねじ締めブロック１を確実に係止させることができる。以下の図３〜図５においては図２（ａ）の例（係止アーム２３，２４が左右にある例）を用いて説明する。
【００３３】
図３は、ねじ締めブロック１を電気接続ブロック本体のねじ締めブロック収容部１７に下から上向きに挿入して、ねじ締めブロック収容部１７の左右の係止アーム２３，２４でねじ締めブロック本体２の下面（被係止部）５（図１）を係止させた状態を示すものである。
【００３４】
ねじ締めブロック本体２の上面９には導電金属製の板状のバスバー２９の水平板部３０が配置され、水平板部３０の後端は、電気接続ブロック本体のねじ締めブロック収容部１７の後側の壁部１９の内面に沿うバスバー２９の垂直板部３１（図６）に一体に続いている。水平板部３０の中央の円形の孔３０ａをボルト３のねじ軸７が上向きに貫通している。バスバーの水平板部３０の左右端と前端側とにねじ締めブロック本体２の上面９が露出して見えている。
【００３５】
ねじ締めブロック本体２の右側の前後のガイドリブ１４は、ねじ締めブロック収容部１７の右側の壁部２１の上側において鍔状の上側の壁部２１ａの下面に当接し、ねじ締めブロック本体２の上面９はバスバー２９の水平板部３０の下面に当接して、ねじ締めブロック１のそれ以上の上向きの挿入が阻止されている。ねじ締めブロック本体２の前後左右の壁部１０〜１３の外面の小リブ１５はねじ締めブロック収容部１７の前後左右の壁部１８〜２１の内面（左側の壁部２０においては詳細には左側の係止アーム２３の前後に隣接した突出壁２５の内面）に当接して、ねじ締めブロック１の前後左右方向のガタつきが防止されている。
【００３６】
図４は、ねじ締めブロック１を電気接続ブロック本体３３のねじ締めブロック収容部１７に下から上向きに挿入して、ねじ締めブロック収容部１７の左右一対の係止アーム２３，２４でねじ締めブロック本体２の下面（被係止部）５を係止させた状態を示す、図３のＡ−Ａ断面図である。
【００３７】
左右一対の係止アーム２３，２４の先端部（上端部ないし自由端部）２３ａ，２４ａの水平な係止面３４がねじ締めブロック本体２の下面５を支持し、係止面３４の外側で係止面３４にほぼ直交（交差）した上向きの突出片３５の内面がねじ締めブロック本体２の左右の外側面１２，１３に当接して（突出片３５の内面でねじ締めブロック本体２の外側面１２，１３を支持して）、ねじ締めブロック１が脱落なく且つ左右方向の位置ずれ（振れ）なく安定に支持（係止）されている。
【００３８】
係止アーム２３，２４は、傾斜状のアーム本体（符号２３，２４で代用）の先端の係止面３４と、係止面３４と交差（直交）してアーム本体から上向きに突出した突出片３５とで、ねじ締めブロック本体２を下方向と横方向との二方向に安定に支持している。左右の係止アーム２３，２４は同じ高さで且つ同じ大きさ・形状で対称に配置されている。電気接続ブロック本体３３のねじ締めブロック収容部１７の左右の壁部２０，２７の内面と傾斜状の各係止アーム２３，２４の外面との間にアーム撓み空間３６が構成されている。
【００３９】
左側の係止アーム２３はねじ締めブロック収容部１７の左側の壁部２０の内面から斜め上向きに突出し（係止アーム２３の基端ないし付根を符号２３ｂで示す）、左側の係止アーム２３の前後に隣接した垂直な突出壁２５の内面にねじ締めブロック本体２の左側の壁部１２の外面が接している。突出壁２５も左側の壁部２０の一部である。係止アーム２３の係止面３４は突出壁２５よりも内向きに突出し、上向きの突出片３５の内面３５ａは突出壁２５の内面と同一平面上に位置している。
【００４０】
右側の係止アーム２４は、ねじ締めブロック収容部１７の右側の壁部２１の中央において外向きに膨出した奥側（外側）の壁部２７の内面から斜め上向きに突出し（係止アーム２４の基端ないし付根を符号２４ｂで示す）、右側の壁部２１の内面にねじ締めブロック本体２の右側の壁部１３の外面が接している。奥側の壁部２７も右側の壁部２１の一部である。右側の壁部２１の内面と奥側の壁部２７の内面との間に縦（上下）方向の突出壁３７が形成されている（図５参照）。
【００４１】
係止アーム２４の係止面３４は右側の壁部２１の内面よりも内向きに突出し、上向きの突出片３５の内面が右側の壁部２１の内面と同一平面上に位置している。また、ボルト３の取付ベース６の上面にバスバーの水平板部３０が当接し、水平板部３０の孔３０ａからボルト３のねじ軸７が上向きに突出している。
【００４２】
図５は、電気接続ブロック本体３３のねじ締めブロック収容部１７にねじ締めブロック１を下から上向きに組み付けた状態の電気接続ブロック３８の外観を示すものである。
【００４３】
電気接続ブロック本体３３は、ねじ締めブロック収容部１７の左側と後側とに隣接してヒュージブルリンク装着部３９，２８を有し、左側のヒュージブルリンク装着部３９の左側に複数のヒューズ装着部４０が並列に配置され、後側のヒュージブルリンク装着部２８の左側に複数の同様のヒュージブルリンク装着部４１が並列に配置されている。
【００４４】
各装着部２８，３９〜４１内にバスバー２９の雄端子４２が上向きに突出して位置し、各装着部２８，３９〜４１内にヒュージブルリンクやヒューズといった不図示の電気部品が上から下向きに装着されて、各電気部品の端子がバスバーの雄端子４２に接続される。バスバー２９の水平板部３０から垂直板部３１が垂下され、垂直板部３１が左方向に二列に延長されて、その延長部に各雄端子４２が立ち上げ形成されている。
【００４５】
ねじ締めブロック１の上向きのボルト３は後側と左側の部品装着部２８，３９の外壁に対向して位置している。ボルト３の前側と、後側の装着部２８の後壁とに不図示の枠状のフレームに対するスライド係合部兼ロック部４３が配設されている。ねじ締めブロック収容部１７の右側の壁部２１は幅方向中央に外側の壁部２７を有し、右側（内側）の壁部２１と外側の壁部２７とは突出壁３７で連結され、前後の一対の突出壁３７の間において外側の壁部２７の内面に右側の係止アーム２４（図４）が設けられている。突出壁３７は右側（内側）の壁部２１の内面からさらに内側に突出している（さらに内側に突出した突出壁部分を符号３７ａで示す）。図５のＡ−Ａ断面が図４に示されている。
【００４６】
本例の電気接続ブロック本体３３は接続箱というよりも複数の部品装着部の集合体であり、不図示の枠状のフレーム内に下から上向きに組み付けられ、フレームの上下に不図示のアッパカバーとロアカバーが装着されて、電気接続箱（リレーブロックないしヒューズブロック）が構成される。
【００４７】
図６は、電気接続ブロック３８のねじ締めブロック収容部１７を縦方向に破断して示すものである。
【００４８】
左側の係止アーム２３がねじ締めブロック収容部１７の左側の壁部２０の中央において前後一対の突出壁２５の間に配置され、自由状態の係止アーム２３の先端部の係止面３４が突出壁２５の内面よりも内向きに突出し、係止アーム２３先端部の上向きの突出片３５の内面が突出壁２５の内面と同一平面に又はそれよりも少し内向きに突出して位置している。ねじ締めブロック１が矢印の如く下から上向きにねじ締めブロック収容部１７内に挿入される。係止アーム２３は前後一対の突出壁２５で係止アーム横幅方向（前後方向）の倒れ変形を阻止され、ねじ締めブロック１に対して確実に係止力を発揮する。
【００４９】
図４の係止状態で各係止アーム２３，２４はねじ締めブロック本体２に押されて少し外向きに撓んで突出片で弾性的にねじ締めブロック本体２を内向きに係止していてもよい。図６の如く、本例の係止アーム２３，２４は基端（付根）側の中央に切欠孔４４を有して撓み性を増している。係止アーム２３，２４の先端部に内側の水平な係止面３４と外側の垂直な突出片３５とが位置している。
【００５０】
ねじ締めブロック１が下から矢印の如く上向きにねじ締めブロック収容部１７の収容室２２に挿入されることで、ねじ締めブロック本体２の左右の上端縁が左右の各係止アーム２３，２４の先端部の傾斜状の内面（下向き傾斜面）４５に摺接して係止アーム２３，２４を外向きに押して撓ませて、ねじ締めブロック本体２が上向きに進入しつつねじ締めブロック本体２の左右の側面１２，１３が各係止アーム２３，２４の先端側の傾斜面４５に摺接し、図４の如くねじ締めブロック本体２の下端が係止アーム２３，２４の先端部を乗り越えた時点で、係止アーム２３，２４が弾性的に内向きに復元して、先端部の係止面３４でねじ締めブロック本体２の下面（下端面）５を支持し、それと同時に先端部の突出片３５がねじ締めブロック本体２の左右の側面１２，１３を内向きに支持する。
【００５１】
本例において、ねじ締めブロック本体２の左側の上端縁はボルト組付用の溝部４（図６）で切欠されているので、この切欠開口４ａの横幅が左側の係止アーム２３の横幅よりも大きな場合は、左側の係止アーム２３の先端部側の傾斜内面４５は切欠開口４ａの下端縁に摺接することになり、左右の係止アーム２３，２４でねじ締めブロック本体２に摺接を開始するタイミングが少しずれ（左側の係止アーム２３の摺接が遅くなる）、電気接続ブロック本体３３の収容部１７へのねじ締めブロック１の挿入力が低減し、挿入作業性が高まる。
【００５２】
ねじ締めブロック本体２の上面９はバスバー２９（図６）の水平板部３０に当接して、あるいは図１のねじ締めブロック本体２の前後のリブ１４の上端が収容部１７の上側の鍔状の壁部２１ａの内面に当接して、ねじ締めブロック１のそれ以上の上向きの挿入が阻止される。
【００５３】
図６の如く、バスバー２９の水平板部３０は後側の下向きの垂直板部３１に続き、垂直板部３１は下側の短い水平板部４６でさらに後側の垂直板部４７に続き、前後の垂直板部３１，４７は左方向に延長されると共に、上向きの雄端子４２を各ヒュージブルリンク装着部２８，３９やヒューズ装着部に配置させている。
【００５４】
なお、上記実施形態においては、電気接続箱の一部を成す電気接続ブロック本体３３にねじ締めブロック１を装着する例で説明したが、例えば一つの独立した小さな電気接続ブロック本体等にねじ締めブロック１を装着する場合においても、上記ねじ締めブロックの係止構造を適用可能である。
【００５５】
また、上記実施形態においては、ねじ締めブロックとして、ボルト３を有するボルトブロック１を用いたが、ねじ部材としてボルト３に代えてナットを備えたナットブロックを用いた場合においても、上記ねじ締めブロックの係止構造を適用可能である。ナットブロックについては従来例の特許文献３で説明したように、例えばねじ締めブロック本体２の上部にナットが装着ないしインサート成形され、ねじ締めブロック本体２の下面５が被係止部となる点は上記ボルトブロック１におけると同様である。ボルトブロック１のボルト３をボルトブロック本体２にインサート成形等で固定することも可能である。
【００５６】
また、上記実施形態においては、係止部として、ねじ締めブロック収容部１７の内壁（側壁）１９〜２１（図２）に係止アーム２３，２４を設けたが、係止アーム２３，２４に代えて、可撓性の係止爪や可撓性の係止突起等を設けることも可能である。
【００５７】
また、上記実施形態においては、一対の係止アーム２３，２４を用いたが、係止アームを左右各一対計二対配置したり、左側に一本、右側に二本の係止アームをそれぞれ配置したり、係止アームを左右と前側ないし後側の三方に配置することも可能である。係止アームを左右何れかに一本のみとした場合は、係止力が弱く、ねじ締めブロック１の安定性も悪いので、係止アーム２３，２４は左右又は前後に一対配置することが好ましい。
【産業上の利用可能性】
【００５８】
本発明に係るねじ締めブロックの係止構造は、電気接続箱等において、ねじ締めブロックに対する電気接続ブロックの係止部の配置の自由度を高めて、ねじ締めブロックの流用性を高めると共に、ねじ締めブロックの小型化・低コスト化を図るために利用することができる。
【符号の説明】
【００５９】
１                      ねじ締めブロック
２                      ねじ締めブロック本体
３                      ボルト（ねじ部材）
５                      下面（被係止部）
１２，１３              側面
１７                    ねじ締めブロック収容部（収容部）
１８，１９、２０，２１  両側壁
２３，２４              係止アーム（係止部）
２３ａ，２４ａ          先端部
２５，３７              突出壁
２９                    バスバー
３３                    電気接続ブロック本体
３４                    係止面
３５                    突出片
【図１】
0005912610.tif 000002
【図２】
0005912610.tif 000003
【図３】
0005912610.tif 000004
【図４】
0005912610.tif 000005
【図５】
0005912610.tif 000006
【図６】
0005912610.tif 000007
【図７】
0005912610.tif 000008